(57)【要約】【課題】ランニングコストを抑え、かつ有機化合物やウイルス・カビ・細菌等の分解能力を備えた、環境や動植物にやさしく安全かつ容易に使用できる農業資材がないことである。【解決手段】農業資材の主原料に二酸化チタンを使用することで、有機化合物やウイルス・カビ・細菌等の分解能力を備えることができる。その二酸化チタンを使用する現場でも容易に希釈・分散させ、農家等が使用していた噴霧機械類で簡単に散布できることが主要な特徴とする。【特許請求の範囲】
【請求項１】
二酸化チタンを使用した場合は紫外線の光にて、効率よく光触媒反応をする、10ｎｍ〜1000ｎｍのアナターゼ型の二酸化チタンが、1％〜50％で構成されるフロアブル状の光触媒式動植物保護剤。
【請求項２】
成分中に、化学合成製剤の分散剤，乳化剤、界面活性剤、補助成分等が含まれず、人畜・動植物等に安全に直接散布できることを特徴とする請求項1記載の光触媒式動植物保護剤。
【請求項３】
使用する現場において、地下水・水道水・水路等の水で容易に、約2倍〜約5000倍に希釈・分散でき、超低コストで散布できる請求項2記載の光触媒式動植物保護剤。
【請求項４】
通常、農家等で使用されている動力噴霧機・少量噴霧機・スイングフォグ・静電噴霧機・航空防除機等の防除機械類にて容易に散布できる請求項3記載の光触媒式動植物保護剤。
【請求項５】
農作物・公園・庭園・森林・街路樹等の残留農薬・有害有機化合物・環境汚染物質等を分解し、新たな有害有機化合物・環境汚染物質等から農作物・公園・庭園・森林・街路樹等を保護することを特徴とする請求項4記載の光触媒式動植物保護剤。
【請求項６】
農作物・公園・庭園・森林・街路樹等には、様々なカビ・ウイルス・細菌等が発生するが、なかでも施設栽培等ではどうしても、高温多湿になりがちで病気の発生は著しい。そうした
病原菌等をも効果的に分解しその後、新たな病原菌等の感染から農作物等を保護することを特徴とする請求項4記載の光触媒式動植物保護剤。
【請求項７】
畜産農家等の、畜産動物、糞尿、飼料残さ、堆舎、畜舎等全体から出る多種多様の臭気成分を、効果的に分解することを特徴とする請求項4記載の光触媒式動植物保護剤。
【請求項８】
畜産農家等の、畜舎等で発生するカビ・ウイルス・細菌等ほとんどのものを分解し、新たなウイルス等から畜産動物等を保護することを特徴とする請求項4記載の光触媒式動植物保護剤。
【請求項９】
農産物等を選別・包装する作業場・加工場では、様々な雑菌等が発生している。そうした雑菌等を効率よく殺菌・抗菌等できることを特徴とする請求項4記載の光触媒式動植物保護剤。
【請求項１０】
施設栽培・ビニールハウス・ガラス温室等において屋根・外壁等に二酸化チタンをコーティングする事によって紫外線をカットし室内温度を下げることを特徴とする請求項4記載の光触媒式動植物保護剤。
【請求項１１】
害虫の中には、紫外線の光を頼りに行動をしているものもいる。動植物体・施設等の屋根、外壁を二酸化チタンでコーティングする事により、害虫の飛来を少なくし被害も最小限に抑えられることを特徴とする請求項4記載の光触媒式動植物保護剤。
【発明の詳細な説明】
【技術分野】
【０００１】
本発明は、有害有機化合物等から動植物を守ることのできる光触媒式動植物保護剤に関するものである。
【背景技術】
【０００２】
動植物の病気・ウイルス・カビ・細菌等を防除する農薬は、有機リン系、有機塩素系、有機水銀系などのように化学合成農薬がほとんどである。使用に当たっては、病気や菌の種類によって農薬を使い分けなければならない。
【０００３】
その為に複数の農薬を何度も散布することでコストもかかり、繰り返し使用すると、抵抗性ができて効果が弱まることや、化学合成農薬が動植物等に蓄積され
ることにより、自然環境に対して悪影響を与えてしまうことが多いと言う問題もあった。
【０００４】
従来の農業資材では、環境汚染物質であるといわれる、環境ホルモン・ダイオキシン・化学合成農薬等を分解できる効力を備えたものがなかった。
【特許文献１】特開2001−286226号公報
【特許文献１】特開平09-316435号公報
【特許文献１】特開2001-095379号公報
【非特許文献１】藤島  昭・橋本和仁・渡部俊也共著「光クリーン革命 」シーエムシー  1997年
【非特許文献２】日本化学会編「光が関わる触媒化学」季刊化学総説  学会出版センターＮｏ、23,1994
【発明の開示】
【発明が解決しようとする課題】
【０００５】
ランニングコストを抑え、かつ有機化合物やウイルス・カビ・細菌等の分解能力を備えた、環境や動植物にやさしく安全かつ容易に使用できる資材がないことに
ある。
【課題を解決するための手段】
【０００６】
本発明の光触媒式動植物保護剤は、様々な環境汚染物質等から動植物等を守る事のできる動植物保護剤であって、二酸化チタンを含有する光触媒式動植
保護剤である。本発明の光触媒式動植物保護剤は、それ自身は変化、分解することなく、紫外線の光が当たる事によって光触媒反応をすることによって、有害な物質を分解して保護するものである。二酸化チタンを使用する現場にて、農家等が容易に希釈・分散させて使用できるようにすること。
【０００７】
光触媒は、強い酸化力により、殺菌、消臭、分解浄化などを目的として、応用が世界中で開発されている。二酸化チタンの光触媒では、紫外線で特に300〜400ｎｍの波長の光の照射によって電子と正孔が表面に生じ、酸化還元反応を生じる。そこで光触媒は、その酸化還元反応により有機化合物等を酸化分解し、空気等を正常化する空気清浄機やタイル、防護壁、ランプ等に利用されている。
【０００８】
二酸化チタンが光触媒反応をするときに、紫外線の300〜400ｎｍの波長を利用することにより紫外線のカット作用があり施設栽培等で施設内部の温度調整にも利用できる。その紫外線カット作用は、女性の化粧品、自動車のガラス、施設栽培での被服資材等にも使用されている。
【発明の効果】
【０００９】
化学合成の乳化剤・分散剤・界面活性剤・補助成分等を含まない。環境に動植物に安全に使用できる二酸化チタンを光触媒に使用することによって、農薬等の有害有機化合物、環境汚染物質、様々な臭気成分の分解除去及び抗菌・殺菌・ウイルス分解作用等を兼ね備え、化学合成農薬使用の削減を図る事ができる、又、施設栽培等での屋根、外壁等への使用には、紫外線カット作用による施設内作物の高温障害を抑え、害虫の中には紫外線により行動をするものが居てそのような害虫の被害を最小限に抑えることもできる。
【発明を実施するための最良の形態】
【００１０】
動植物体に散布する場合、化学合成の補助成分等を含まないことから、人畜・動植物等に安全なオリゴ糖などを展着剤等として0.01％〜10％を添加し、ムラが
ないように丁寧な散布が好ましい。
【００１１】
施設の屋根・外壁・作業場等に散布する場合は、二酸化チタンの希釈液に木工用ボンド等を接着剤として1％〜30％を添加し、ムラがないように丁寧な散布が
好ましい。
【実施例１】
【００１２】
今までの、農薬製剤の乳剤・水和剤・フロアブル剤・ゾル剤等と同様に、使用する現場において容易に分散させることにより、農家等が従来から使用してきた噴霧機械等にて容易に散布できるようになった。そのために、作物・病気等を選ばずに紫外線の当たる作物であれば使用で切るようになった。
【００１３】
イチゴのうどん粉病よる殺菌・抗菌効果では、7月15日に散布したのでは翌日にはうどん粉病の白い病班が赤褐色に変色し、12月20日散布分では、4日〜5日後に変色した、2回目の散布は7日〜10日ぐらいのほうが良かった14日以上あけると部分的に再発が見られた。又、きゅうりのかっぱん病・べと病では1度散布すると14日〜20日ぐらい散布間隔をあけても良かった。しかし、月に1回〜2回の散布が望ましい。通常の化学合成農薬では得られない効果が得られた。このことから減農薬・無農薬栽培が今まで以上に容易になった。  
【００１４】
二酸化チタンでビニールハウス・ガラス温室等の屋根・外壁等にコーティングすることによって、紫外線がカットされ施設内温度を、3度〜6度下ることが可能になり植物の高温障害等が緩和され、生育が促進し5月〜7月の品質の良い作物が収穫できるようになった。又、害虫の中には紫外線をカットすることによって、行動を阻害されるものも居て害虫による被害も抑えられた。
【産業上の利用可能性】
【００１５】
安全な農産物の生産という観点からも農業分野での利用、環境浄化・汚染物質の除去という面では農業・林業・土木分野でも利用の可能性は限りないものだ
推測される。